(57)【要約】【課題】ブリスターパックに内包されたランプの破損を防止できるランプ包装容器を提供することである。【解決手段】ランプを内包するブリスターパック本体は台座の前面側に形成される。そして、ブリスターパック本体に、ランプの破損し難い部分と接触してランプをブリスターパック本体の内部に固定し、ランプの破損し易い部分とブリスターパック本体の内面との間に空間を保持する支持部が形成される。これにより、支持部によりランプの破損し易い部分とブリスターパック本体の内面との間に空間を保持するので、この空間により緩衝作用が生じ、ブリスターパックに内包されたランプの破損を防止できる。【選択図】  図１
2012056610.tif 000002
【特許請求の範囲】
【請求項１】
台座の前面側に形成されランプを内包するブリスターパック本体と、
前記ブリスターパック本体に形成され、前記ランプの破損し難い部分と接触して前記ランプを前記ブリスターパック本体の内部に固定するとともに、前記ランプの破損し易い部分と前記ブリスターパック本体の内面との間に空間を保持する支持部と、
を備えたことを特徴とするランプ包装容器。
【請求項２】
前記ランプはグローブと放熱フィンとを有したランプであり、前記支持部として前記ブリスターパック本体に凹み部が設けられ、前記凹み部は、前記放熱フィンと係合して前記ランプのグローブと前記ブリスターパック本体の内面との間に空間を保持することを特徴とする請求項１記載のランプ包装容器。
【発明の詳細な説明】
【技術分野】
【０００１】
本発明の実施形態は、ブリスターパックにランプを内包して包装するランプ包装容器に関する。
【背景技術】
【０００２】
従来、ランプは直方体の段ボールシートで包装され、段ボールシートの緩衝作用でランプが破損するのを防止している。最近はランプをブリスターパックに内包して包装するようになってきた。ブリスターパックは台座にブリスターパック本体が取り付けられて形成され、通常、ブリスターパック本体はプラスチックをバキュームフォームなどで成型して形成される。従って、ブリスターパックの場合には緩衝作用がほとんどないので、ブリスターパックの場合にも緩衝作用を持たせることが要請されている。
【先行技術文献】
【特許文献】
【０００３】
【特許文献１】特開２００８−２３０７０１号公報
【発明の概要】
【発明が解決しようとする課題】
【０００４】
このように、ブリスターパック本体にランプなどの破損しやすい物品を内装する場合、ランプの破損し易い部分、例えばグローブがブリスターパック本体に接触していると、ブリスターパックが落下したり、ブリスターパックに物が当たった場合には、ランプのグローブが直接的に衝撃を受けて破損することがある。
【０００５】
本発明の実施形態は、ブリスターパックに内包されたランプの破損を防止できるランプ包装容器を提供することである。
【課題を解決するための手段】
【０００６】
本発明の実施形態によれば、ランプを内包するブリスターパック本体は台座の前面側に形成される。そして、ブリスターパック本体に、ランプの破損し難い部分と接触してランプをブリスターパック本体の内部に固定し、ランプの破損し易い部分とブリスターパック本体の内面との間に空間を保持する支持部が形成される。
【発明の効果】
【０００７】
支持部によりランプの破損し易い部分とブリスターパック本体の内面との間に空間を保持するので、この空間により緩衝作用が生じ、ブリスターパックに内包されたランプの破損を防止できる。
【図面の簡単な説明】
【０００８】
【図１】本発明の実施形態に係るランプ包装容器の側面図。
【図２】本発明の実施形態に係るランプ包装容器にランプを内包した状態での側面図。
【図３】本発明の実施形態に係るランプ包装容器にランプを内包した状態での正面図。
【発明を実施するための形態】
【０００９】
以下、本発明の実施形態を説明する。図１は本発明の実施形態に係るランプ包装容器の側面図である。
【００１０】
ランプ包装容器の台座１１の前面側には、ランプを内包するためのブリスターパック本体１２が取り付けられる。ブリスターパック本体１２の台座１１側には、台座１１を着脱するためのスライド部１３が設けられ、このスライド部の溝部に台座１１を挿入して、スライド式で台座１１をブリスターパック本体１２に着脱可能に取り付ける。
【００１１】
台座１１は紙や板状のプラスチックで形成され、ブリスターパック本体１２は透明または半透明のプラスチックで形成される。例えば、ポリエチレンテレフタラート(PET) 、ポリ塩化ビニル(PVC)、ポリスチレン(PS)などで形成される。また、ブリスターパック本体１２には、ランプをブリスターパック本体の内部に固定するための支持部１４が設けられている。
【００１２】
この支持部１４は、後述するように、ブリスターパック本体１２に内包されるランプの破損し難い部分と接触してランプを固定し、ランプの破損し易い部分とブリスターパック本体の内面との間に空間を保持して、ランプとブリスターパック本体１２との間に緩衝作用が得られるようにしている。
【００１３】
図２は本発明の実施形態に係るランプ包装容器にランプ１５を内包した状態での側面図である。図２では、ランプ１５はグローブ１６と放熱フィン１７とを有したランプを示している。例えば、ランプ１５のグローブ１６はガラスで形成され、放熱フィン１７はアルミダイカストで形成されている。従って、このようなグローブ１６と放熱フィン１７とを有したランプ１５では、ランプの破損し易い部分はグローブ１６であり、ランプの破損し難い部分は放熱フィン１７である。
【００１４】
そこで、支持部１４としてブリスターパック本体１２に凹み部を設ける。この凹み部は、ブリスターパック本体１２の内部では凸部となり、この凸部が放熱フィン１６の溝部と係合してランプ１５をブリスターパック本体１２の内部に固定する。支持部１４を設ける位置は、ランプ１５の重心部の近傍位置に設けると、ランプを効率的に支持できる。その際に、支持部１４は、ランプ１５のグローブ１６とブリスターパック本体１２の内面との間に間隔１８を保ち空間を保持する。これにより、ランプ１５のグローブ１６とブリスターパック本体１２との間に緩衝作用が得られる。
【００１５】
図３は、本発明の実施形態に係るランプ包装容器にランプ１５を内包した状態での正面図である。図３に示すように、ブリスターパック本体１２の台座１１側は、ランプ１５が収納される箇所以外は平面状に形成され、その周辺部にはスライド部１３が設けられている。すなわち、ブリスターパック本体１２は正面から見た場合に縦長の長方形に形成され、ランプ１５が収納される箇所は正面側に突出して形成されている。そして、縦長の長方形の上部に吊り下げ用穴１９が設けられ、吊り下げ用穴１９に陳列台のバーが挿入される。
【００１６】
スライド部１３は台座１１を案内する溝部を有する。図３の上部、つまり吊り下げ用穴１９側からスライド部１３の溝部に台座１１を差し込み、下部方向に台座１１を挿入する。その際に、ブリスターパック本体１２に設けられた支持部１４がランプ１５の放熱フィン１７に掛合しランプ１５を固定する。また、ランプ１５のグローブ１６とブリスターパック本体１２の内面との間に間隔１８を保ち空間を保持する。これにより、ランプ１５のグローブ１６とブリスターパック本体１２との間に緩衝作用が得られるので、ランプ１５の破損を防止する。
【００１７】
なお、本実施形態において、台座１１とブリスターパック本体１２は、スライド部によりスライドさせ、着脱したが、互いの凹凸にて嵌合させたり、互いを圧着封止するものなど、その封止方法は限定されるものではない。
【００１８】
以上述べた実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００１９】
１１…台座、１２…ブリスターパック本体、１３…スライド部、１４…支持部、１５…ランプ、１６…グローブ、１７…放熱フィン、１８…間隔、１９…吊り下げ穴
【図１】
2012056610.tif 000003
【図２】
2012056610.tif 000004
【図３】
2012056610.tif 000005